(57)【要約】【課題】簡易な構成でユーザによる適切なコンタクトガラスの清掃を補助することが可能な画像読取装置を提供する。【解決手段】画像読取装置１は、上側筐体２と下側筐体３とを備える。上側筐体２は、第１読取部１０を備える。下側筐体３は、第２読取部１１を備える。第１読取部１０は、第１光源１０Ａと、第１コンタクトガラス１０Ｂと、第１センサ１０Ｃと、を備える。第２読取部１１は、第２光源１１Ａと、第２コンタクトガラス１１Ｂと、第２センサ１１Ｃと、を備える。上側筐体２が開いたことが検知されると、第１光源１０Ａ、及び第２光源１１Ａにより交互に光が発せられる。【選択図】        図２
2012080169.tif 000002
【特許請求の範囲】
【請求項１】
シートの画像を読み取る画像読取装置であって、
前記シートの一方の面に光を発する第１光源と、前記シートと前記第１光源との間に配置される第１コンタクトガラスと、前記シートの前記一方の面により反射された光を検知する第１センサと、を備える第１読取部と、
前記シートの他方の面に光を発する第２光源と、前記シートと前記第２光源との間に配置される第２コンタクトガラスと、前記シートの前記他方の面により反射された光を検知する第２センサと、を備え、前記第１読取部と前記シートを挟んで対向する第２読取部と、
前記画像読取装置が前記第１コンタクトガラス、又は前記第２コンタクトガラスの清掃モードであるか否かを設定する設定部と、
前記設定部により、前記画像読取装置が前記第１コンタクトガラス、又は前記第２コンタクトガラスの清掃モードであると設定された場合に、前記第１光源、及び前記第２光源の少なくとも一方により光が発せられるように、前記第１光源、及び前記第２光源の少なくとも一方を制御する制御部と、
を備えることを特徴とする画像読取装置。
【請求項２】
前記第１読取部、及び前記第２読取部のうちの一方を備える第１筐体と、
前記第１読取部、及び前記第２読取部の２つの読取部うちの他方を備え、第１筐体から離れる方向、及び近づく方向に回動可能な第２筐体と、
前記第２筐体の回動を検知する回動検知部と、を備え、
前記設定部は、前記回動検知部により前記第２筐体が前記第１筐体から前記離れる方向に回動されたことが検知された場合に、前記画像読取装置が前記第１コンタクトガラス、又は前記第２コンタクトガラスの清掃モードであると設定することを特徴とする請求項１に記載の画像読取装置。
【請求項３】
前記制御部は、前記第１光源、及び前記第２光源により交互に光が発せられるように、前記第１光源、及び前記第２光源を制御することを特徴とする請求項１又は２に記載の画像読取装置。
【請求項４】
前記制御部は、前記第１光源、及び前記第２光源の少なくとも一方により発せられる光の光量を調整することを特徴とする請求項１〜３のいずれかに記載の画像読取装置。
【請求項５】
前記第１読取部、及び前記第２読取部のうちの一方を備える第１筐体と、
前記第１読取部、及び前記第２読取部の２つの読取部うちの他方を備え、第１筐体から離れる方向、及び近づく方向に回動可能な第２筐体と、
前記第２筐体の回動を検知する回動検知部と、を備え、
前記設定部は、前記回動検知部により前記第２筐体が前記第１筐体から前記離れる方向に回動されたことが検知された場合に、前記画像読取装置が前記第１コンタクトガラス、又は前記第２コンタクトガラスの清掃モードであると設定し、
前記制御部は、前記回動検知部により前記第２筐体が前記第１筐体から前記離れる方向に回動されたことが検知され、前記第１光源、及び前記第２光源により光が発せられていない場合に、前記第１センサ、及び前記第２センサのうちの少なくとも一方により検知される光の光量に基づいて、前記第１光源、及び前記第２光源の少なくとも一方により発せられる光の光量を調整して、前記第１光源、及び前記第２光源の少なくとも一方により光が発せられるように、前記第１光源、及び前記第２光源の少なくとも一方を制御することを特徴とする請求項４に記載の画像読取装置。
【発明の詳細な説明】
【技術分野】
【０００１】
本発明は、ＣＩＳ、及びＣＣＤ等の読取部を用いてシートの画像を読み取るイメージスキャナ、複写機、及びファクシミリ等の画像読取装置に関する。
【背景技術】
【０００２】
従来、ＣＩＳ、及びＣＣＤ等の読取部を用いてシートの画像を読み取るイメージスキャナ、複写機、及びファクシミリ等の画像読取装置が提案されている。この種の画像読取装置は、光源と、コンタクトガラスと、センサと、を備える。この種の画像読取装置は、光源によりコンタクトガラス上のシートに発せられ、シートにより反射された光をセンサにより検知することでシートの画像を読み取る。
【０００３】
この種の画像読取装置において、コンタクトガラスにゴミ、埃、及び紙粉等の汚れが付着していると、これらのゴミ、埃、及び紙粉等の汚れも読み取ってしまう。従って、読み取られる画像の画質が低下する。
【０００４】
上記の問題に鑑み、特許文献１に開示されている画像読取装置は、コンタクトガラスの清掃の際に、光源をコンタクトガラスに隣接して設けられた照射光遮光用部材の下方に移動、停止させ、照射光遮光用部材に対して光源を照射させている。
【０００５】
照射光遮光部材に対して照射された光は、画像読取装置の内側からコンタクトガラスを間接光として照らす。コンタクトガラスが照らされることにより、コンタクトガラスに付着したゴミ、埃、及び紙粉等の汚れがユーザにより容易に認識されることが可能となる。従って、ユーザによる適切なコンタクトガラスの清掃を補助することができる。
【先行技術文献】
【特許文献】
【０００６】
【特許文献１】特開２００４−２９７４４３号公報
【発明の概要】
【発明が解決しようとする課題】
【０００７】
しかしながら、特許文献１に開示されている画像読取装置は、コンタクトガラスを照らすために、光源の移動機構と照射光遮光用部材という画像の読み取りと無関係な構成を備える必要があった。
【０００８】
特に、２つの読取部を用いてシートの両面の画像を読み取る両面読取装置に特許文献１に開示されている技術を用いる場合、光源の移動機構と遮光部材という画像の読み取りと無関係な構成を２つずつ備える必要があった。従って、ユーザによる適切なコンタクトガラスの清掃を補助するための構成が複雑であった。
【０００９】
本発明は、上述した問題点を解決するためになされたものであり、簡易な構成でユーザによる適切なコンタクトガラスの清掃を補助することが可能な画像読取装置を提供することを目的とする。
【課題を解決するための手段】
【００１０】
上記目的を達成するために、請求項１記載の本発明は、シートの画像を読み取る画像読取装置であって、前記シートの一方の面に光を発する第１光源と、前記シートと前記第１光源との間に配置される第１コンタクトガラスと、前記シートの前記一方の面により反射
された光を検知する第１センサと、を備える第１読取部と、前記シートの他方の面に光を発する第２光源と、前記シートと前記第２光源との間に配置される第２コンタクトガラスと、前記シートの前記他方の面により反射された光を検知する第２センサと、を備え、前記第１読取部と前記シートを挟んで対向する第２読取部と、前記画像読取装置が前記第１コンタクトガラス、又は前記第２コンタクトガラスの清掃モードであるか否かを設定する設定部と、前記設定部により、前記画像読取装置が前記第１コンタクトガラス、又は前記第２コンタクトガラスの清掃モードであると設定された場合に、前記第１光源、及び前記第２光源の少なくとも一方により光が発せられるように、前記第１光源、及び前記第２光源の少なくとも一方を制御する制御部と、を備えることを特徴とするものである。
【００１１】
請求項２記載の本発明は、請求項１に記載の発明において、前記第１読取部、及び前記第２読取部のうちの一方を備える第１筐体と、前記第１読取部、及び前記第２読取部の２つの読取部うちの他方を備え、第１筐体から離れる方向、及び近づく方向に回動可能な第２筐体と、前記第２筐体の回動を検知する回動検知部と、を備え、前記設定部は、前記回動検知部により前記第２筐体が前記第１筐体から前記離れる方向に回動されたことが検知された場合に、前記画像読取装置が前記第１コンタクトガラス、又は前記第２コンタクトガラスの清掃モードであると設定することを特徴とするものである。
【００１２】
請求項３記載の本発明は、請求項１又は２に記載の発明において、前記制御部は、前記第１光源、及び前記第２光源により交互に光が発せられるように、前記第１光源、及び前記第２光源を制御することを特徴とするものである。
【００１３】
請求項４記載の本発明は、請求項１〜３のいずれかに記載の発明において、前記制御部は、前記第１光源、及び前記第２光源の少なくとも一方により発せられる光の光量を調整することを特徴とするものである。
【００１４】
請求項５記載の本発明は、請求項４に記載の発明において、前記第１読取部、及び前記第２読取部のうちの一方を備える第１筐体と、前記第１読取部、及び前記第２読取部の２つの読取部うちの他方を備え、第１筐体から離れる方向、及び近づく方向に回動可能な第２筐体と、前記第２筐体の回動を検知する回動検知部と、を備え、前記設定部は、前記回動検知部により前記第２筐体が前記第１筐体から前記離れる方向に回動されたことが検知された場合に、前記画像読取装置が前記第１コンタクトガラス、又は前記第２コンタクトガラスの清掃モードであると設定し、前記制御部は、前記回動検知部により前記第２筐体が前記第１筐体から前記離れる方向に回動されたことが検知され、前記第１光源、及び前記第２光源により光が発せられていない場合に、前記第１センサ、及び前記第２センサのうちの少なくとも一方により検知される光の光量に基づいて、前記第１光源、及び前記第２光源の少なくとも一方により発せられる光の光量を調整して、前記第１光源、及び前記第２光源の少なくとも一方により光が発せられるように、前記第１光源、及び前記第２光源の少なくとも一方を制御することを特徴とするものである。
【発明の効果】
【００１５】
請求項１記載の画像読取装置によれば、清掃モードにおいて、第１光源、及び第２光源の少なくとも一方により光が発せられる。よって、第１光源、及び第２光源という画像の読み取りと関係した構成を利用して、第１コンタクトガラス、及び第２コンタクトガラスを照らすことができる。従って、簡易な構成でユーザによる適切なコンタクトガラスの清掃を補助することが可能となる。
【００１６】
請求項２記載の画像読取装置によれば、第２筐体が第１筐体から離れる方向に回動されると、他方の読取部が一方の読取部から離れる。よって、一方の読取部と他方の読取部との間に空間ができる。第２筐体が第１筐体から離れる方向に回動されると、第１光源、及
び第２光源の少なくとも一方により光が発せられる。従って、一方の読取部と他方の読取部との間の空間に清掃具などを入れるなどしたユーザによるコンタクトガラスの清掃を補助することが可能となる。
【００１７】
請求項３記載の画像読取装置によれば、第１光源、及び第２光源により交互に光が発せられる。よって、第１光源、及び第２光源の両方の光源により一度に光が発せられる場合と比較して、コンタクトガラスが過剰に照らされることなく、コンタクトガラスに付着したゴミ、埃、及び紙粉等の汚れを影として映し出し、確実にユーザに示すことが可能となる。また、一方の読取部の清掃時に他方の読取部の光源からの光がユーザの目に入り、ユーザにまぶしさを感じさせる可能性を低減できる。従って、コンタクトガラスに付着したゴミ、埃、及び紙粉等の汚れを確実にユーザに示すことが可能となる。
【００１８】
請求項４記載の画像読取装置によれば、第１光源、及び第２光源の少なくとも一方により発せられる光の光量が調整される。従って、コンタクトガラスを適度に照らすことができ、コンタクトガラスに付着したゴミ、埃、及び紙粉等の汚れを確実にユーザに示すことが可能となる。
【００１９】
請求項５記載の画像読取装置によれば、第１光源、及び第２光源により光が発せられていない場合に、第１センサ、及び第２センサのうちの少なくとも一方により検知される。従って、第１光源、及び第２光源の光でない第１読取部、及び第２読取部周辺の外部の光が検知される。検知された外部の光の光量に基づいて第１光源、及び第２光源の少なくとも一方により発せられる光の光量が調整される。従って、第１読取部、及び第２読取部周辺の明るさに適した光量でコンタクトガラスを照らすことができ、コンタクトガラスに付着したゴミ、埃、及び紙粉等の汚れを確実にユーザに示すことが可能となる。
【図面の簡単な説明】
【００２０】
【図１】本発明の第１の実施形態に係る画像読取装置１の概略断面図である。
【図２】上記画像読取装置１の上側筐体２が開いた状態を示す図である。
【図３】上記画像読取装置１の電気的構成を示すブロック図である。
【図４】上記画像読取装置１の動作制御を示すフローチャートである。
【図５】図４に示すフローチャートのＳ２における点灯処理を示すフローチャートである。
【図６】本発明の第２の実施形態に係る画像読取装置１の動作制御を示すフローチャートである。
【発明を実施するための形態】
【００２１】
（第１の実施形態）
以下、本発明の第１の実施形態について、図面を用いて詳細に説明する。
【００２２】
［画像読取装置の外観］
図１、及び図２は、本実施形態の画像読取装置１の内部構造を説明するための説明図である。画像読取装置１は、図１、及び図２に示すように、画像読取装置１は、上側筐体２と、下側筐体３と、回動軸１５と、を備える。上側筐体２は、分離片７と、搬送用従動ローラ９と、第１読取部１０と、排紙用従動ローラ１３と、を備える。下側筐体３は、給紙トレイ４と、ピックアップローラ６と、搬送ローラ８と、第２読取部１１と、排紙ローラ１２と、排紙トレイ１４と、を備える。本実施形態に係る画像読取装置１は、ユーザにより給紙トレイ４に載置された複数のシートＳＨを搬送路ＦＲ内において搬送しながら読み取るシートフィードスキャナである。
【００２３】
上側筐体２は、回動軸１５を中心として、下側筐体３から離れる方向ＤＤ、及び近づく
方向ＡＤに回動可能である。以後、上側筐体２が下側筐体３から離れる方向ＤＤに回動することを、「上側筐体２が開く」と表記する。以後、上側筐体２が下側筐体３に近づく方向ＡＤに回動することを、「上側筐体２が閉じる」と表記する。図１は、上側筐体２が完全に閉じた状態を示す。上側筐体２が閉じると、図１に示すように上側筐体２と下側筐体３との間にシートＳＨが搬送される搬送路ＦＲが形成される。図２は、上側筐体が開いた状態を示す。上側筐体２が開くことで、図２に示すように、第１読取部１０と第２読取部１１との間にユーザがガラス拭きや清掃クロス、綿棒等の清掃具などを入れる空間ができる。以後、図１を用いて画像読取装置１の構成について説明する。
【００２４】
ピックアップローラ６は、摩擦力により、給紙トレイ４に載置された複数枚のシートＳＨを画像読取装置１の内部に引き込む。ピックアップローラ６は、図示しないモータにより駆動される。分離片７は、摩擦力により、複数枚のシートＳＨを１枚のシートに分離する。
【００２５】
搬送ローラ８は、図示しないモータにより駆動されてシートＳＨを搬送する。搬送用従動ローラ９は、搬送ローラ８と対向して配置される。搬送ローラ８と搬送用従動ローラ９とは、搬送ローラ８と搬送用従動ローラ９との間にシートＳＨを挟む。シートＳＨは、搬送ローラ８と搬送用従動ローラ９との間の摩擦力により、搬送路ＦＲ内を搬送される。
【００２６】
第１読取部１０、及び第２読取部１１は、搬送路ＦＲを挟んで対向する一対の密着イメージセンサ（Ｃｏｎｔａｃｔ  Ｉｍａｇｅ  Ｓｅｎｓｏｒ、以後「ＣＩＳ」と記す）により構成される。第１読取部１０は、シートＳＨの表面の画像を読み取る。第２読取部１１は、シートＳＨの裏面の画像を読み取る。
【００２７】
第１読取部１０は、第１光源１０Ａと、第１コンタクトガラス１０Ｂと、第１センサ１０Ｃと、を備える。第１光源１０Ａは、搬送されるシートＳＨの表面に光を発する。第１コンタクトガラス１０Ｂは、搬送されるシートＳＨと第１光源１０Ａとの間に配置される。第１センサ１０Ｃは、シートＳＨの表面により反射された光を検知する。第２読取部１１は、第２光源１１Ａと、第２コンタクトガラス１１Ｂと、第２センサ１１Ｃと、を備える。第２光源１１Ａは、搬送されるシートＳＨの裏面に光を発する。第２コンタクトガラス１１Ｂは、搬送されるシートＳＨと第２光源１１Ａとの間に配置される。第２センサ１１Ｃは、シートＳＨの裏面により反射された光を検知する。第１光源１０Ａ、及び第２光源１１Ａは、Ｒ、Ｇ、Ｂ三色の発光ダイオード（Ｌｉｇｈｔ  Ｅｍｉｔｔｉｎｇ  Ｄｉｏｄｅ、以後「ＬＥＤ」と記す）により構成される。第１センサ１０Ｃ、及び第２センサ１１Ｃは、ＩＣチップにより構成される。第１センサ１０Ｃ、及び第２センサ１１Ｃは、受光素子、光電変換回路、及びドライバなどを内蔵している。第１センサ１０Ｃ、及び第２センサ１１Ｃは、受光素子により受光された光を電荷に変換して出力することができる。なお、簡略化のため詳細な記述は省いたが、第１読取部１０、及び第２読取部１１は、図示しない、周知のレンズ、導光板、及び反射板なども備える。
【００２８】
排紙ローラ１２は、シートＳＨの搬送方向において第２読取部１１の下流側に配置される。排紙用従動ローラ１３は、排出ローラ１２と対向して配置される。排紙ローラ１２と排紙用従動ローラ１３とは、排紙ローラ１２と排紙用従動ローラ１３との間にシートＳＨを挟む。シートＳＨは、排紙ローラ１２と排紙用従動ローラ１３との間の摩擦力により、搬送路ＦＲ内を搬送される。排紙ローラ１２は、搬送路ＦＲ内を搬送されたシートＳＨを排紙トレイ５に送る。排紙ローラ１２は、図示しないモータにより駆動される。シートＳＨは、排紙トレイ１４に排紙される。
【００２９】
［画像読取装置の電気的構成］
本実施形態に係る画像読取装置１の電気的構成について、図３を参照して説明する。画
像読取装置１は、図３に示すように、図１、及び図２において図示していない読取スイッチ（図面においてスイッチを「ＳＷ」と記す）３５、発光スイッチ１６、電源スイッチ１７、表示部１８、外部インターフェース（図３においてインターフェースを「Ｉ／Ｆ」と記す）１９、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）２１、モータドライバ２２、搬送モータ２３、給紙センサ２４、開閉センサ２５、ＬＥＤドライバ２６、ＡＤコンバータ（図３においてＡＤコンバータをＡＤＣと記す）２７、ＬＥＤドライバ２８、ＡＤコンバータ２９、及び制御部３０を備える。
【００３０】
読取スイッチ３５は、ユーザにより押されると、第１読取部１０、及び第２読取部１１による読み取りを開始するように指令する読取開始指令を制御部３０に供給する。読取スイッチ３５は、上側筐体２に設けられる。
【００３１】
発光スイッチ１６は、ユーザにより押されると、第１光源１０Ａ、及び第２光源１１Ａによる発光のＯＮ・ＯＦＦを切り換えるように指令する切替指令を制御部３０に供給する。発光スイッチ１６は、上側筐体２に設けられる。
【００３２】
電源スイッチ１７は、ユーザにより押されると、画像読取装置１の電源のＯＮ・ＯＦＦを切り換えるように指令する電源ＯＮ指令、及び電源ＯＦＦ指令を制御部３０に供給する。電源スイッチ１７は、上側筐体２に設けられる。
【００３３】
表示部１８はＬＥＤなどによって構成され、制御部３０から受け取った信号に基づき、装置の状態などを表示する。例えば電源が入っている、読取エラーであるなどの状態がＬＥＤの点灯によって表示される。表示部１８は、上側筐体２に設けられる。
【００３４】
外部インターフェース１９は、画像読取装置１の外部のＰＣとデータの送受信を行うためのインターフェースである。例えば、外部インターフェース１９を介して、第１読取部１０、及び第２読取部１１により読み取られたシートＳＨの両面の画像を、画像読取装置１の外部のＰＣ上に表示することができる。
【００３５】
ＲＡＭ２０は、画像データ等の各種データを一時的に記憶する領域である。ＲＯＭ２１は、画像読取装置１により表示する画像の表示等の制御を行う際に表示部１８等を動作させるための情報処理プログラム等、制御部３０により実行される各種情報処理プログラム等を記憶している。
【００３６】
モータドライバ２２は、制御部３０から供給される駆動制御信号に基づいて、搬送モータ２３を駆動するため駆動信号を供給するドライバである。搬送モータ２３は、モータドライバから供給される駆動信号に基づいて駆動される。搬送モータ２３が駆動されることで、ピックアップローラ６、搬送ローラ８、及び排紙ローラ１２などが駆動される。
【００３７】
給紙センサ２４は、給紙トレイ４上のシートＳＨの有無を検知する。給紙センサ２４は、給紙トレイ４に設けられたガイドに設けられる。給紙センサ２４は、給紙センサ２４は、赤外線ＬＥＤとフォトダイオードとにより構成される。給紙センサ２４の検知結果は、制御部３０に供給される。
【００３８】
開閉センサ２５は、上側筐体２の開閉を検知する。開閉センサ２５は、図示を省略しているが、回動軸１５周辺に設けられるスイッチにより構成される。上側筐体２が閉まると、開閉センサ２５が押され、上側筐体２が閉まったことを検知できる。上側筐体２が開くと、開閉センサ２５が押されず、上側筐体２が開いたことを検知できる。開閉センサ２５の検知結果は、制御部３０に供給される。
【００３９】
ＬＥＤドライバ２６は、制御部３０から供給される光制御信号に基づいて、第１光源１０Ａの点灯、及び消灯を制御するドライバである。第１光源１０Ａは、ＬＥＤドライバ２６による制御に基づいて、点灯、又は消灯する。
【００４０】
ＡＤコンバータ２７は、第１センサ１０Ｃにより受光され、電荷に変換されて出力された光の信号をデジタル信号に変換する。ＡＤコンバータ２７により変換されたデジタル信号は、制御部３０に供給される。なお、第１センサ１０Ｃは、制御部３０により駆動される。
【００４１】
ＬＥＤドライバ２８は、制御部３０から供給される光制御信号に基づいて、第２光源１１Ａの点灯、及び消灯を制御するドライバである。第２光源１１Ａは、ＬＥＤドライバ２８による制御に基づいて、点灯、又は消灯する。
【００４２】
ＡＤコンバータ２９は、第２センサ１１Ｃにより受光され、電荷に変換されて出力された光の信号をデジタル信号に変換する。ＡＤコンバータ２９により変換されたデジタル信号は、制御部３０に供給される。なお、第２センサ１１Ｃは、制御部３０により駆動される。
【００４３】
制御部３０は、ＣＰＵ（Ｃｅｎｔｒａｌ  Ｐｒｏｃｅｓｓｉｎｇ  Ｕｎｉｔ）により構成される。制御部３０は、ＲＯＭ２１に記憶されている各種情報処理プログラムなどを実行することにより、画像読取装置１が備える各種機能を実行する演算処理装置である。
【００４４】
［画像読取装置の動作制御］
以下、図４、及び図５を用いて画像読取装置１の動作制御について説明する。図４、及び図５は、画像読取装置１の動作制御を示すフローチャートである。一連の動作制御は、制御部３０を構成するＣＰＵにより実行される。電源ＯＮの指令が電源スイッチ１７から制御部３０に供給されると、図４に示す処理が開始される。図４、及び図５において上側筐体２が開いていることを「オープン」、上側筐体２が閉じていることを「クローズ」と表記する。
【００４５】
図４に示す処理では、先ず、上側筐体２が開いたか否かが判定される（ステップ１、以後「Ｓ１」と記す）。上側筐体２が開いたと判定されると（Ｓ１：Ｙｅｓ）、第１光源１０Ａ、及び第２光源１１Ａの点灯処理が開始される（Ｓ２）。上側筐体２が開いていないと判定されると（Ｓ１：Ｎｏ）、読取スイッチ３５がＯＮにされたか否か、即ち、読取スイッチ３５から制御部３０に読取開始指令が供給されているか否かが判定される（Ｓ３）。読取スイッチ１５がＯＮにされたと判定されると（Ｓ３：Ｙｅｓ）、給紙トレイ４にシートＳＨが有るか否かが判定される（Ｓ４）。即ち、給紙センサ２４によりシートＳＨが給紙トレイ４にあることを示す結果が制御部３０に供給されているか否かが判定される。Ｓ３において、読取スイッチ３５がＯＮにされていないと判定されると（Ｓ３：Ｎｏ）、処理がＳ１に戻る。給紙トレイ４にシートＳＨが有ると判定されると（Ｓ４：Ｙｅｓ）、第１読取部１０、及び第２読取部１１による読取処理が開始される（Ｓ５）。即ち、ピックアップローラ６、搬送ローラ８、及び排紙ローラ１２等が駆動され、シートＳＨが分離されつつ搬送される。第１読取部１０と第２読取部１１との間を搬送されるシートＳＨの両面の画像が、第１読取部１０と第２読取部１１とにより読み取られる。Ｓ４において、給紙トレイ４にシートＳＨがないと判定されると（Ｓ４：Ｎｏ）、制御部３０より表示部１８にてエラー表示を行う処理（Ｓ４’）を行った後、処理がＳ１に戻る。読取処理がなされると、電源スイッチ１７がＯＦＦにされたか否か、即ち、電源スイッチ１７がＯＦＦにされ、電源ＯＦＦの指令が電源スイッチ１７から制御部３０に供給されたか否かが判定される（Ｓ６）。電源スイッチ１７がＯＦＦにされていないと判定されると（Ｓ６）、処
理がＳ１に戻る。電源スイッチ１７がＯＦＦにされたと判定されると、図４に示す全ての処理が終了する。
【００４６】
図５を用いて、図４のＳ２において示した第１光源１０Ａ、及び第２光源１１Ａの点灯処理について説明する。点灯処理において、先ず、第１光源１０Ａが点灯される（ＳＡ１）。第１光源１０Ａが点灯されると、上側筐体２が閉まっているか否かが判定される（ＳＡ２）。上側筐体２が閉まっていないと判定されると（ＳＡ２：Ｎｏ）、発光スイッチ１６がＯＮにされたか否かが判定される（ＳＡ３）。即ち、発光スイッチ１６が押され、第１光源１０Ａ、及び第２光源１１Ａによる発光のＯＮ・ＯＦＦを切り換えるように指令する切替指令が制御部３０に供給された否かが判定される。発光スイッチ１６がＯＮにされたと判定されると（ＳＡ３：Ｙｅｓ）、第１光源１０Ａが消灯され（ＳＡ４）、第２光源１１Ａが点灯される（ＳＡ７）。第２光源１１Ａが点灯されると、上側筐体２が閉まっているか否かが判定される（ＳＡ８）。上側筐体２が閉まっていないと判定されると（ＳＡ８：Ｎｏ）、発光スイッチ１６がＯＮにされたか否かが判定される（ＳＡ９）。発光スイッチ１６がＯＮにされたと判定されると（ＳＡ９：Ｙｅｓ）、第２光源１１Ａが消灯される（ＳＡ１０）。第２光源１１Ａが消灯されると、上側筐体２が閉まっているか否かが判定される（ＳＡ１１）。上側筐体２が閉まっていないと判定されると（ＳＡ１１：Ｎｏ）、発光スイッチ１６がＯＮにされたか否かが判定される（ＳＡ１２）。発光スイッチ１６がＯＮにされたと判定されると（ＳＡ１２：Ｙｅｓ）、処理がＳＡ１に戻る。ＳＡ３、ＳＡ９、及びＳＡ１２において、発光スイッチ１６がＯＮにされなかったと判定されると（ＳＡ２：Ｎｏ、ＳＡ９：Ｎｏ、ＳＡ１２：Ｎｏ）、処理が、各々、ＳＡ２、ＳＡ８、及びＳＡ１１に戻る。ＳＡ２において、上側筐体２が閉まっていると判定されると（ＳＡ２：Ｙｅｓ）、第１光源１０Ａが消灯された後（ＳＡ１３）、処理が図４に示すＳ１に戻る。ＳＡ８において、上側筐体２が閉まっていると判定されると（ＳＡ８：Ｙｅｓ）、第２光源１１Ａが消灯された後（ＳＡ１４）、処理が図４に示すＳ１に戻る。ＳＡ１１において、上側筐体２が閉まっていると判定されると（ＳＡ１１：Ｙｅｓ）、処理が図４に示すＳ１に戻る。
【００４７】
画像読取装置１によれば、Ｓ１において、上側筐体２が開いたと判定されると、Ｓ２において点灯処理が開始される。即ち、画像読取装置１が第１コンタクトガラス１０Ｂ、及び第２コンタクトガラス１１Ｂを照らすことで、ユーザによる第１コンタクトガラス１０Ｂ、及び第２コンタクトガラス１１Ｂの清掃を補助するための清掃モードに設定される。清掃モードにおいて、第１光源１０Ａ、及び第２光源１１Ａにより光が発せられる。よって、第１光源１０Ａ、及び第２光源１１Ａという画像の読み取りと関係した構成を利用して、第１コンタクトガラス１０Ｂ、及び第２コンタクトガラス１１Ｂを照らすことができる。従って、簡易な構成でユーザによる適切なコンタクトガラスの清掃を補助することが可能となる。
【００４８】
また、上側筐体２が開かれると、第１読取部１０が第２読取部１１から離れる。よって、第１読取部１０と第２読取部１１との間に空間ができる。上側筐体２が開かれると、第１光源１０Ａ、及び第２光源１１Ａにより光が発せられる。従って、第１読取部１０と第２読取部１１との間の空間に清掃具などを入れるなどしたユーザによるコンタクトガラスの清掃を補助することが可能となる。
【００４９】
また、画像読取装置１によれば、第１光源１０Ａ、及び第２光源１１Ａにより交互に光が発せられる。即ち、図５において示したように、ＳＡ１において、先ず、第１光源１０Ａが点灯され、ＳＡ４において、第１光源１０Ａが消灯された後、ＳＡ７において、第２光源１１Ａが点灯され、ＳＡ１０において、第２光源１１Ａが消灯される。よって、第１光源１０Ａ、及び第２光源１１Ａの両方の光源により一度に光が発せられる場合と比較して、コンタクトガラスが過剰に照らされることなく、コンタクトガラスに付着したゴミ、
埃、及び紙粉等の汚れを確実にユーザに示すことが可能となる。また、一方の読取部の清掃時に他方の読取部の光源からの光がユーザの目に入り、ユーザにまぶしさを感じさせる可能性を低減できる。従って、コンタクトガラスに付着したゴミ、埃、及び紙粉等の汚れを確実にユーザに示すことが可能となる。
【００５０】
（第２の実施形態）
本発明の第２の実施形態について図面を参照して説明する。第１の実施形態において、第１読取部１０Ａ、及び第２読取部１１Ａにより発せられる光の光量は、あらかじめ決められた光量であった。しかし、これに限らず、以下に示すように、第１読取部１０Ａ、及び第２読取部１１Ａ各々の周辺の明るさに基づいて、第１読取部１０Ａ、及び第２読取部１１Ａにより発せられる光の光量が調整されてもよい。
【００５１】
図６は、本実施形態において、図４のＳ１において、上側筐体２が開いたと判定され（Ｓ１：Ｙｅｓ）、図５において示した点灯処理が開始される際に、図５のＳＡ１に示す第１光源１０Ａの点灯がなされる前に行われる光量調整を示すフローチャートである。図６に示す処理では、先ず、外部の明るさ測定が行われる（ＳＸ１）。即ち、第１光源１０Ａ、及び第２光源１１Ａにより光が発せられていない状態で、第１センサ１０Ｃ、及び第２センサ１１Ｃにより光が検知される。外部の明るさ測定が行われると、第１光源１０Ａ、及び第２光源１１Ａを駆動するための電流量が決定される（ＳＸ２）。即ち、制御部３０により、第１センサ１０Ｃ、及び第２センサ１１Ｃの各々により測定された外部の明るさに基づいて、第１光源１０Ａ、及び第２光源１１Ａ各々の光量が設定される。制御部３０は、設定された光量に基づいた光制御信号をＬＥＤドライバ２６、２８に供給する。ＬＥＤドライバ２６、２８は、各々、供給された光制御信号に基づいて、第１光源１０Ａ、及び第２光源１１Ａを点灯させる。電流量が決定されると、処理が図５において示したＳＡ１に移る。
【００５２】
本実施形態における画像読取装置１によれば、第１センサ１０Ｃ、及び第２センサ１１Ｃ周辺の明るさ測定の結果に基づいて、第１光源１０Ａ、及び第２光源１１Ａにより発せられる光の光量が各々調整される。よって、第１読取部１０、及び第２読取部１１各々の周辺の明るさに適した光量で第１コンタクトガラス１０Ｂ、及び第２コンタクトガラス１１Ｂを照らすことができる。従って、コンタクトガラスに付着したゴミ、埃、及び紙粉等の汚れを確実にユーザに示すことが可能となる。
【００５３】
（変形例）
第１、及び第２の実施形態において、画像読取装置１は、清掃モードにおいて、第１光源１０Ａ、及び第２光源１１Ａにより発光ＳＷ１６により交互に光が発せられていた。しかし、これに限らず、例えば、第１光源１０Ａ、及び第２光源１１Ａのうちの一方のみにより光が発せられてもよい。第１光源１０Ａ、及び第２光源１１Ａのうちの一方のみにより光が発せられる場合、制御部３０における処理が簡略化できる。また、例えば、第１光源１０Ａ、及び第２光源１１Ａにより交互に光が発せられなくとも、一度に光が発せられてもよい。また、例えば、ＳＡ３、ＳＡ９、及びＳＡ１２において、ユーザにより発光スイッチ１６が押されたか否かが判定されることにより、第１光源１０Ａ、及び第２光源１１Ａにより交互に光が発せられていたが、これに限らず、周知のタイマー手段を具備することによりあらかじめ設定された時間間隔で第１光源１０Ａ、及び第２光源１１Ａにより交互に光が発せられてもよい。
【００５４】
第１、及び第２の実施形態において、上側筐体２の開閉に基づいて、画像読取装置１が第１コンタクトガラス１０Ｂ、又は第２コンタクトガラス１１Ｂの清掃モードであるか否かが設定されていた。しかし、これに限らず、例えば、画像読取装置が清掃モードスイッチを備え、清掃モードスイッチがユーザにより押されたか否かに基づいて清掃モードの設
定が行われてもよい。
【００５５】
第２の実施形態において、第１センサ１０Ｃ、及び第２センサ１１Ｃ周辺の明るさ測定の結果に基づいて、第１光源１０Ａ、及び第２光源１１Ａにより発せられる光の光量が各々調整されていた。しかし、これに限らず、例えば、画像読取装置が光量調整ボタンを備え、ユーザによる光量調整ボタンの操作により、光量調整が行われてもよい。
【００５６】
第１、及び第２の実施形態において、上側筐体２のみが開いていたが、これに限らず、例えば、下側筐体のみが開いてもよいし、上側筐体と下側筐体とが互いに離れるように、又は互いに近づくように開閉されてもよい。
【００５７】
第１、及び第２の実施形態において、画像読取装置の一例として、シートフィードスキャナを挙げたが、これに限らず、例えば、フラッドベッドスキャナ、ＦＡＸ、複合機、及び改札機などであってもよい。
【符号の説明】
【００５８】
１  画像読取装置１
２  上側筐体
３  下側筐体
１０  第１読取部
１０Ａ  第１光源
１０Ｂ  第１コンタクトガラス
１０Ｃ  第１センサ
１１  第２読取部
１１Ａ  第２光源
１１Ｂ  第２コンタクトガラス
１１Ｃ  第２センサ
２５  開閉センサ
３０  制御部
【図１】
2012080169.tif 000003
【図２】
2012080169.tif 000004
【図３】
2012080169.tif 000005
【図４】
2012080169.tif 000006
【図５】
2012080169.tif 000007
【図６】
2012080169.tif 000008